(57)【特許請求の範囲】
【請求項１】
移動通信端末本体と、該移動通信端末本体と着脱可能である情報記録媒体と、を有する移動通信端末であって、
前記情報記録媒体は、
データを記録する媒体データ記録手段と、
自機へのアクセスと前記移動通信端末本体への操作とを禁止するためのロックコードを記録するロックコード記録手段と、
前記情報記録媒体自身のＩＤ番号を記録するＩＤ番号記録手段とを有し、
前記移動通信端末本体は、
データを記録する本体データ記録手段と、
通信および前記データの表示のための入力を行う操作手段と、
前記ロックコードを前記情報記録媒体に登録するロックコード登録手段と、
該ロックコード登録手段により前記ロックコードが登録されているか否かを検出する登録検出手段と、
他の通信端末から送信された前記ロックコードを受信するロックコード受信手段と、
前記他の通信端末から送信された前記情報記録媒体自身のＩＤ番号を受信するＩＤ番号受信手段と、
前記登録検出手段による検出した結果、ロックコードが設定されているか否かを判断し、ロックコードが設定されている場合には、前記ロックコード受信手段により受信したロックコードと前記情報記録媒体内のロックコード記録手段に記録されたロックコードとを比較し、前記ロックコードが登録されていない場合には、前記ＩＤ番号受信手段により受信した前記情報記録媒体のＩＤ番号と前記情報記録媒体内の前記ＩＤ番号記録手段に記録された当該ＩＤ番号とを比較して、一致した場合には、前記操作手段による動作と前記情報記録媒体へのアクセスとを禁止するロック手段と、
を有し、
前記移動通信端末は、当該自機による前記操作手段による動作と前記情報記録媒体へのアクセスとを禁止するロック設定を受け付けたことを前記他の通信端末に送信した後に、前記他の通信端末からのデータ転送要求に応じて前記他の通信端末に要求されたデータを転送し、
前記他の通信端末に前記要求されたデータ転送が前記他の通信端末からの通信切断を確認して当該自機の前記操作手段による動作と前記情報記録媒体へのアクセスとを禁止する使用ロックを行なうことを特徴とする移動通信端末。
【請求項２】
移動通信端末本体と、該移動通信端末本体と着脱可能である情報記録媒体とを有する請求項１に記載の移動通信端末１と、前記情報記録媒体内の登録されたロックコードまたは登録された前記情報記録媒体のＩＤ番号と同一のいずれかを送信した他の移動通信端末２と、を少なくとも有する通信システムであって、
前記他の移動通信端末２は、前記移動通信端末１からの当該自機内の操作手段による動作と前記情報記録媒体へのアクセスとを禁止する使用ロックを行なうロック設定の受付の送信を受けて前記他の移動通信端末２の表示手段に表示し、前記移動通信端末１にデータ転送希望の登録データ種別と当該データが保存されているメモリ種別とを送信して前記移動通信端末１からデータ転送されたデータを格納し、
前記移動通信端末１は前記他の移動通信端末２からの通信切断完了後に前記操作手段による動作と前記情報記録媒体へのアクセスとを禁止する使用ロックを行なうことを特徴とする通信システム。
【請求項３】
請求項１に記載の移動通信端末本体と、該移動通信端末本体と着脱可能である情報記録媒体とを有する移動通信端末の操作手段による動作と前記情報記録媒体へのアクセスとを禁止する使用ロックを行なう方法であって、
前記方法は、他の通信端末から送信されたロックコードまたは他の通信端末から送信された前記情報記録媒体自身のＩＤ番号を受信して、ロックコードが設定されている場合には、前記受信したロックコードと前記情報記録媒体内のロックコードとを比較し、前記ロックコードが登録されていない場合には、前記他の通信端末から受信した前記情報記録媒体のＩＤ番号と、前記情報記録媒体内に記録された当該ＩＤ番号とを比較して、一致した場合には、前記操作手段による動作と前記情報記録媒体へのアクセスとを禁止するロック設定の受付を前記他の通信端末に送信し、
前記ロック設定の受付を受信した他の通信端末からのデータ転送要求の受信または切断要求を受信した後に、前記移動通信端末の操作手段による動作と前記情報記録媒体へのアクセスとを禁止する使用ロックを行なう方法。
【請求項４】
請求項３に記載の通信システムを用いた移動通信端末の操作手段による動作と前記情報記録媒体へのアクセスとを禁止する使用ロックを行なう方法であって、
前記方法は、他の通信端末から送信されたロックコードまたは他の通信端末から送信された前記情報記録媒体自身のＩＤ番号を受信して、ロックコードが設定されている場合には、前記受信したロックコードと前記情報記録媒体内のロックコードとを比較し、前記ロックコードが登録されていない場合には、前記他の通信端末から受信した前記情報記録媒体のＩＤ番号と、前記情報記録媒体内に記録された当該ＩＤ番号とを比較して、一致した場合には、前記操作手段による動作と前記情報記録媒体へのアクセスとを禁止するロック設定の受付を前記他の通信端末に送信し、
前記ロック設定の受付を受信した他の通信端末は、前記移動通信端末に対してデータ転送要求を送信し、
前記移動通信端末は、前記データ転送要求を送信した前記他の通信端末に要求されたデータを転送し、
前記他の通信端末の切断要求を受信した後に、前記移動通信端末の操作手段による動作と前記情報記録媒体へのアクセスとを禁止する使用ロックを行なう方法。
【請求項５】
移動通信端末本体と該移動通信端末本体と着脱可能な情報記録媒体とからなる移動通信端末の処理を実行させるためのプログラムであって、
前記プログラムは、他の通信端末から送信されたロックコードまたは他の通信端末から送信された前記情報記録媒体自身のＩＤ番号を受信して、ロックコードが設定されている場合には、前記受信したロックコードと前記情報記録媒体内のロックコードとを比較し、前記ロックコードが登録されていない場合には、前記他の通信端末から受信した前記情報記録媒体のＩＤ番号と、前記情報記録媒体内に記録された当該ＩＤ番号とを比較して、一致した場合には、前記操作手段による動作と前記情報記録媒体へのアクセスとを禁止するロック設定の受付を前記他の通信端末に送信し、
前記ロック設定の受付を受信した他の通信端末からのデータ転送要求の受信または切断要求を受信し、
前記ロック設定の受付を受信した他の通信端末からの前記移動通信端末に対するデータ転送要求された場合にはデータ転送要求されたデータを前記ロック設定の受付を受信した他の通信端末に転送し、
前記切断要求または前記他の通信端末に前記転送した後に、前記移動通信端末の操作手段による動作と前記情報記録媒体へのアクセスとを禁止する使用ロックを行なう操作を前記移動通信端末に実行させるためのプログラム。
【発明の詳細な説明】
【０００１】
【発明の属する技術分野】
本発明は、移動通信端末、通信システム、通信端末ロック方法、およびプログラムに関し、特に、携帯電話機の紛失や盗難時の悪用防止、および個人データ復旧を容易に行う移動通信端末、通信システム、通信端末ロック方法、およびプログラムに関する。
【０００２】
【従来の技術】
従来、携帯電話機等の移動通信端末の紛失あるいは盗難が発生した際に、第三者による移動通信端末の悪用を防止する方法等が公開されてきた。
【０００３】
特開２０００−１８８７８３号公報が開示するところの携帯電話機の自動操作方法（以下、従来例１）では、携帯電話機の盗難時等に、予め設定しておいた番号からの呼び出しに対して、パスワード等により、携帯電話機の自動操作を可能とする方法が記載されていた。
【０００４】
また、特開２０００−１５１７９８号公報が開示するところのダイヤル／データロック機能付き携帯電話（以下、従来例２）では、特定の電話番号着信時に、ダイヤルロックおよび携帯電話に記録されているデータのロックが行われる携帯電話が記載されていた。
【０００５】
また、ＳＩＭカード等の情報記録媒体を用いる移動通信端末における盗難時等の不正防止のための技術としては、以下に示すようなものがあった。
【０００６】
特開平３−１００８９５号公報が開示するところの携帯用端末装置の不正使用防止方式（以下、従来例３）には、盗難を検知すると、バックアップしている内部データと入力データ処理プログラムとを消去することによって、内部データの流出および不正使用の防止を実現する方式が記載されていた。
【０００７】
また、特開平１０−９３６８７号公報が開示するところのカード式携帯電話機およびカード式ポケットベル（以下、従来例４）には、携帯電話機（あるいはポケットベル）に装着されるＩＤカードに暗証番号を記録し、暗証番号を入力することにより、使用規制が解除される携帯電話機等が記載されていた。
【０００８】
従来例４では、ＩＤカードが装着されている携帯電話機の操作をロックしても、ＩＤカードを他の携帯電話機に装着すれば使用できてしまうため、携帯電話機の操作をロックするのみでは不十分であり、そこでＩＤカード自体を遠隔からロック（使用不可）していた。
【０００９】
また、特開平１１−１７７６８２号公報が開示するところの無線通信装置（以下、従来例５）には、公衆電話機等から送信された無効化コードを受信すると、接続されているＳＩＭカードを使用不可能とする携帯電話機が記載されていた。
【００１０】
また、特許第２７５０７４６号公報に開示するところの携帯用端末装置の不正使用防止方式（以下、従来例６）では、配送処理端末の盗難を検知したホストコンピュータが盗難信号を発信すると、上記の盗難信号を受信した配送処理端末は、キー入力を無効にするとともに、自端末のメモリおよび装着されているＩＣカードに記憶されているデータの取り出しを不可能にしていた。
【００１１】
【発明が解決しようとする課題】
従来例１〜従来例６では、携帯電話を紛失等した場合に第三者による悪用を防止するため、リモートから携帯電話機の操作や情報記録媒体へのアクセスをロック（禁止）していた。また、暗証番号等を入力することにより、上記のリモート操作は、許可あるいは認証されていた。
【００１２】
しかしながら、ユーザが事前にこれらの暗証番号等を設定していなかった場合、これらの暗証番号の初期値は比較的容易、単純なものが多い（例えば、全桁０）。従って、ユーザが通常に携帯電話を保有、使用している場合に、ユーザ以外の第三者によるリモート操作で悪戯にロックされるという問題点があった。
【００１３】
また、認証手段として事前に特定の電話番号を記憶しておき、その電話からの着信の場合にのみロック操作を許可する技術も公開されているが、事前に電話番号を登録し忘れた場合には、携帯電話機を紛失した時にユーザ自身もリモートからロック操作できないという問題があった。ロック操作を許可する電話機の電話番号が登録されていなければ、どの電話機の電話番号とも一致しないため全ての電話機からリモート操作によるロック操作が拒否されてしまう可能性があった。
【００１４】
また、従来技術では、悪用防止については考慮されているが、紛失あるいは盗難後におけるデータ復旧には言及していない。紛失あるいは盗難した携帯電話機のメモリや情報記録媒体（ＩＤカード、ＩＣカード、あるいはＳＩＭカード）に登録あるいは保存していたデータを消去してしまった場合、消去したデータの復旧が行えないため、新たに携帯電話機を購入した場合、新規に登録し直さなければならない不便さがあった。
【００１５】
本発明は、上記問題点に鑑み、操作ロック、情報記録媒体ロックの操作を許容し、認証手段を強化することにより、紛失あるいは盗難された時に第三者による悪用を防止するとともに、通常利用時に、ユーザ以外の第三者によりリモートからの操作ロック、情報記録媒体ロックを行う悪戯を防止する移動通信端末、通信システム、通信端末ロック方法、およびプログラムを提供することを目的とする。
【００１６】
また、紛失あるいは盗難された時に容易に新しい移動通信端末に元のデータ（電話帳、スケジュール、受信メール等）を復旧する移動通信端末、通信システム、通信端末ロック方法、およびプログラムを提供することを目的とする。
【００１７】
【課題を解決するための手段】
かかる目的を達成するため、請求項１記載の発明は、移動通信端末本体と、該移動通信端末本体と着脱可能である情報記録媒体と、を有する移動通信端末であって、前記情報記録媒体は、データを記録する媒体データ記録手段と、自機へのアクセスと前記移動通信端末本体への操作とを禁止するためのロックコードを記録するロックコード記録手段と、前記情報記録媒体自身のＩＤ番号を記録するＩＤ番号記録手段とを有し、前記移動通信端末本体は、データを記録する本体データ記録手段と、通信および前記データの表示のための入力を行う操作手段と、前記ロックコードを前記情報記録媒体に登録するロックコード登録手段と、該ロックコード登録手段により前記ロックコードが登録されているか否かを検出する登録検出手段と、他の通信端末から送信された前記ロックコードを受信するロックコード受信手段と、前記他の通信端末から送信された前記情報記録媒体自身のＩＤ番号を受信するＩＤ番号受信手段と、を有し、前記登録検出手段による検出した結果、ロックコードが設定されているか否かを判断し、ロックコードが設定されている場合には、前記ロックコード受信手段により受信したロックコードと前記情報記録媒体内のロックコード記録手段に記録されたロックコードとを比較し、前記ロックコードが登録されていない場合には、前記ＩＤ番号受信手段により受信した前記情報記録媒体のＩＤ番号と前記情報記録媒体内の前記ＩＤ番号記録手段に記録された当該ＩＤ番号とを比較して、一致した場合には、前記操作手段による動作と前記情報記録媒体へのアクセスとを禁止するロック手段と、ロック手段と、を有し、前記移動通信端末は、当該自機による前記操作手段による動作と前記情報記録媒体へのアクセスとを禁止するロック設定を受け付けたことを前記他の通信端末に送信した後に、前記他の通信端末からのデータ転送要求に応じて前記他の通信端末に要求されたデータを転送し、前記移動通信端末は、前記他の通信端末に前記要求されたデータ転送が前記他の通信端末からの通信切断を確認して当該自機の前記操作手段による動作と前記情報記録媒体へのアクセスとを禁止する使用ロックを行なうことを特徴とする。
【００１８】
また、請求項２記載の発明によれば、移動通信端末本体と、該移動通信端末本体と着脱可能である情報記録媒体とを有する請求項１に記載の移動通信端末１と、前記情報記録媒体内の登録されたロックコードまたは登録された前記情報記録媒体のＩＤ番号と同一のいずれかを送信した他の移動通信端末２と、を少なくとも有する通信システムであって、前記他の移動通信端末２は、前記移動通信端末１からの当該自機内の操作手段による動作と前記情報記録媒体へのアクセスとを禁止する使用ロックを行なうロック設定の受付の送信を受けて前記他の移動通信端末２の表示手段に表示し、前記移動通信端末１にデータ転送希望の登録データ種別と当該データが保存されているメモリ種別とを送信して前記移動通信端末１からデータ転送されたデータを格納し、前記移動通信端末１は前記他の移動通信端末２からの通信切断完了後に前記操作手段による動作と前記情報記録媒体へのアクセスとを禁止する使用ロックを行なうことを特徴とする通信システムを特徴とする。
【００１９】
また、請求項３記載の発明によれば、請求項１に記載の移動通信端末本体と、該移動通信端末本体と着脱可能である情報記録媒体とを有する移動通信端末の操作手段による動作と前記情報記録媒体へのアクセスとを禁止する使用ロックを行なう方法であって、前記方法は、他の通信端末から送信されたロックコードまたは他の通信端末から送信された前記情報記録媒体自身のＩＤ番号を受信して、ロックコードが設定されている場合には、前記受信したロックコードと前記情報記録媒体内のロックコードとを比較し、前記ロックコードが登録されていない場合には、前記他の通信端末から受信した前記情報記録媒体のＩＤ番号と、前記情報記録媒体内に記録された当該ＩＤ番号とを比較して、一致した場合には、前記操作手段による動作と前記情報記録媒体へのアクセスとを禁止するロック設定の受付を前記他の通信端末に送信し、前記ロック設定の受付を受信した他の通信端末からのデータ転送要求の受信または切断要求を受信した後に、前記移動通信端末の操作手段による動作と前記情報記録媒体へのアクセスとを禁止する使用ロックを行なう方法である。
【００２０】
また、請求項４記載の発明によれば、請求項３に記載の通信システムを用いた移動通信端末の操作手段による動作と前記情報記録媒体へのアクセスとを禁止する使用ロックを行なう方法であって、前記方法は、他の通信端末から送信されたロックコードまたは他の通信端末から送信された前記情報記録媒体自身のＩＤ番号を受信して、ロックコードが設定されている場合には、前記受信したロックコードと前記情報記録媒体内のロックコードとを比較し、前記ロックコードが登録されていない場合には、前記他の通信端末から受信した前記情報記録媒体のＩＤ番号と、前記情報記録媒体内に記録された当該ＩＤ番号とを比較して、一致した場合には、前記操作手段による動作と前記情報記録媒体へのアクセスとを禁止するロック設定の受付を前記他の通信端末に送信し、前記ロック設定の受付を受信した他の通信端末は、前記移動通信端末に対してデータ転送要求を送信し、前記移動通信端末は、前記データ転送要求を送信した前記他の通信端末に要求されたデータを転送し、前記他の通信端末の切断要求を受信した後に、前記移動通信端末の操作手段による動作と前記情報記録媒体へのアクセスとを禁止する使用ロックを行なう方法である。
【００２１】
また、請求項５記載の発明によれば、移動通信端末本体と該移動通信端末本体と着脱可能な情報記録媒体とからなる移動通信端末の処理を実行させるためのプログラムであって、前記プログラムは、他の通信端末から送信されたロックコードまたは他の通信端末から送信された前記情報記録媒体自身のＩＤ番号を受信して、ロックコードが設定されている場合には、前記受信したロックコードと前記情報記録媒体内のロックコードとを比較し、前記ロックコードが登録されていない場合には、前記他の通信端末から受信した前記情報記録媒体のＩＤ番号と、前記情報記録媒体内に記録された当該ＩＤ番号とを比較して、一致した場合には、前記操作手段による動作と前記情報記録媒体へのアクセスとを禁止するロック設定の受付を前記他の通信端末に送信し、前記ロック設定の受付を受信した他の通信端末からのデータ転送要求の受信または切断要求を受信し、前記ロック設定の受付を受信した他の通信端末からの前記移動通信端末に対するデータ転送要求された場合にはデータ転送要求されたデータを前記ロック設定の受付を受信した他の通信端末に転送し、前記切断要求または前記他の通信端末に前記転送した後に、前記移動通信端末の操作手段による動作と前記情報記録媒体へのアクセスとを禁止する使用ロックを行なう操作を前記移動通信端末に実行させるためのプログラムである。
【００３８】
また、本発明によれば、情報記録媒体内にロックコードを記憶する手段と、上記ロックコードを情報記録媒体装着時の移動通信端末から設定する手段（変更する場合は、変更前のコード入力を要する）と、情報記録媒体内に初期値以外のロックコードが設定されたかどうかを示すロックコード登録フラグを記憶する手段と、ロックコードを情報記録媒体装着時の移動通信端末に登録した際ロックコード登録フラグをＯＮにする手段と、発着両側の移動通信端末でリモートロック操作であるかどうかを通知／判断する手段と、ロックコードおよびＩＤ番号を無線で送受信する手段と、ロックコードおよびＩＤ番号の正当性を着側で判定する手段と、ロックコードまたはＩＤ番号が正当である場合にのみ、着側では発側からの要求に従い、自動的に要求データを無線で転送する手段と、呼切断後、着側の操作および情報記録媒体をロックする手段と、を有する。
【００３９】
【発明の実施の形態】
図１は、本発明の一実施形態における情報記録媒体２０装着時の移動通信端末１の構成を示す図である。以下、図１を用いて、本実施形態における移動通信端末１の構成および動作について説明する。
【００４０】
移動通信端末１は、移動通信端末本体１０と、情報記録媒体２０と、を有する。なお、移動通信端末１は、携帯電話機であってもよいし、ＰＨＳあるいはＰＤＡであってもよい。
【００４１】
情報記録媒体２０は、移動通信端末本体１０と着脱可能に接続されている。また、情報記録媒体２０には、ユーザの個人情報（電話帳、スケジュール、あるいは受信メール等）が記録されている。ユーザは、情報記録媒体２０が任意の端末に装着されることにより、その端末は、情報記録媒体２０内のデータの読み出しが可能となる。なお、情報記録媒体２０は、ＳＩＭカードと一般に呼ばれるＩＣカードであってもよく、形状はカード状によらない。
【００４２】
移動通信端末本体１００は、制御部１１と、送受信部１２と、データ変換部１３と、アンテナ１４と、スピーカ１５と、マイクロフォン１６と、データ記録部１７と、操作部１８と、表示部１９と、を有する。
【００４３】
制御部１１は、データ変換部１２、データ変換部１３、データ記録部１７、操作部１８、および表示部１９と接続されており、移動通信端末本体１０が有する各部位の制御を行う。
【００４４】
送受信部１２は、データを送受信可能な信号に変復調する。また、データ変換部１３は、音声等を所定の信号に変換する。データ変換部１３は、送受信部１２、スピーカ１５、およびマイクロフォン１６と接続されている。アンテナ１４は、送受信部１２と接続されており、無線で信号（電波）を送受信する。スピーカ１５は、音声を出力する。マイクロフォン１６は、音声を入力する。
【００４５】
データ記録部１７は、電話帳、スケジュール、および受信メール等のデータ（以下、登録データ）を記録する部位である。操作部１８は、テンキーあるいはジョイスティック等を用いて、移動通信端末１における通信および設定に係る入力を行う部位である。表示部１９は、所定のデータ（例えば、データ記録部１７あるいは情報記録媒体２０が有するデータ記録部２１に記録されているデータ）を表示する。
【００４６】
情報記録媒体２０は、データ記録部２１と、ロックコード記録部２２と、ＩＤ番号記録部２３と、を有する。情報記録媒体２０が移動携帯端末本体１０に装着されている際、データ記録部２１、ロックコード記録部２２、およびＩＤ番号記録部２３は、制御部１１と接続される。
【００４７】
データ記録部２１は、電話帳、スケジュール、および受信メール等の登録データを記録する部位である。
【００４８】
ロックコード記録部２２は、移動通信端末本体１０における操作部１８による入力および情報記録媒体２０の使用をロック（禁止）するための情報であるロックコードを記録する部位である。なお、ロックコードは、例えば、所定の文字列等の暗証番号であってもよい。
【００４９】
ロックコード記録部２２には、予めロックコードの初期値が記録されており、ユーザは、操作部１８を用いることにより、新たにロックコードを登録することが可能である。ユーザが新たなロックコードを登録することにより、ロックコードの初期値は、所望の値に書き換え可能となる。また、移動通信端末１の不正使用を考慮して、ロックコード登録の際には、例えば、登録前のロックコード入力が必要であるといった規制が設けられている。
【００５０】
また、ロックコード記録部２２には、ロックコード設定フラグのＯＮ／ＯＦＦが記録されている。ロックコード記録部２２に記録されているロックコードが初期値である場合、ロックコード設定フラグ「ＯＦＦ」がロックコード記録部２２に記録される。また、ユーザが新たなロックコードを登録し、ロックコード記録部２２に記録した場合、ロックコード設定フラグは、「ＯＦＦ」から「ＯＮ」に設定され、ロックコード設定フラグ「ＯＮ」がロックコード記録部２２に記録される。
【００５１】
制御部１１にロックコードが入力されると、制御部１１は、入力されたロックコードとロックコード記録部２２に記録されているロックコードとを比較し、一致した場合、移動通信端末本体１０の操作および情報記録媒体２０の使用をロックする。
【００５２】
ＩＤ番号記録部２３には、情報記録媒体２０固有の識別情報であるＩＤ番号が記録されている。ＩＤ番号は、予め設定されており、外部入力による変更は、不可能である。
【００５３】
制御部１１にＩＤ番号が入力されると、制御部１１は、入力されたＩＤ番号とＩＤ番号記録部２３に記録されているＩＤ番号とを比較し、一致した場合、移動通信端末本体１０における操作部１８によるキー入力および情報記録媒体２０の使用をロックする。
【００５４】
図２は、本発明の一実施形態における移動通信端末２の構成を示す図である。以下、図２を用いて、本実施形態における移動通信端末２の構成および動作について説明する。
【００５５】
移動通信端末２は、基地局（図示せず）を介して、移動通信端末１と通信可能であるとする。なお、移動通信端末２は、携帯電話機であってもよいし、ＰＨＳあるいはＰＤＡであってもよい。また、移動通信端末１とのデータの送受信、データの記録、およびデータの表示を実現するものであれば、他の端末であってもよい。
【００５６】
移動通信端末２は、制御部３１と、送受信部３２と、データ変換部３３と、アンテナ３４と、スピーカ３５と、マイクロフォン３６と、データ記録部３７と、操作部３８と、表示部３９と、を有する。
【００５７】
制御部３１は、データ変換部３２、データ変換部３３、データ記録部３７、操作部３８、および表示部３９と接続されており、移動通信端末２が有する各部位の制御を行う。
【００５８】
送受信部３２は、データを送受信可能な信号に変復調する。また、データ変換部３３は、音声等を所定の信号に変換する。データ変換部３３は、送受信部３２、スピーカ３５、およびマイクロフォン３６と接続されている。アンテナ３４は、送受信部３２と接続されており、無線で信号（電波）を送受信する。スピーカ３５は、音声を出力する。マイクロフォン３６は、音声を入力する。
【００５９】
データ記録部３７は、電話帳、スケジュール、および受信メール等の登録データを記録する部位である。操作部３８は、テンキーあるいはジョイスティック等を用いて、移動通信端末２における通信および諸設定等を行う部位である。表示部３９は、諸データを表示する。
【００６０】
図３は、本発明の一実施形態における移動通信端末１および移動通信端末２による処理を示すシーケンスである。以下、図１および図２を用い、図３に沿って、ユーザが事前に移動通信端末１に装着されている情報記録媒体２０にロックコードを登録していた場合に、移動通信端末１を紛失した時、移動通信端末２からのリモート操作で移動通信端末１をロックするまでの処理について説明する。
【００６１】
ユーザは、移動通信端末本体１０に装着されている情報記録媒体２０のロックコードを設定する（初期値から所定のロックコードに書き換える）。新たなロックコードおよびロックコード登録フラグ「ＯＮ」がロックコード記録部２２に記録される（１−Ａ）。
【００６２】
ユーザは、移動通信端末１を紛失した場合、移動通信端末２を用いて、ロック設定発信を行う（発信メッセージ内にロック設定有無情報を定義し、ロック設定有りを発信メッセージに設定する）（１−ａ）。
【００６３】
移動通信端末１は、着信に対し、発信メッセージ内のロック設定有無情報を参照する。移動通信端末１は、ロック設定有りを検出すると、自動応答し、移動通信端末２との接続が行われる。
【００６４】
接続完了後、移動通信端末２は、ロックコードの入力を行い、移動通信端末１へ通知する（１−ｂ）。
【００６５】
移動通信端末１は、ロックコードを受信すると、ロックコード記録部２２に記録されているロックコード登録フラグおよびロックコードを読み出し、「判定▲１▼：受信ロックコードと一致するか？」および「判定▲２▼：ロックコード登録フラグがＯＮか？」の判定を行う。判定▲１▼および判定▲２▼ともに条件を満足する場合、移動通信端末１は、移動通信端末２へロック設定を受け付けたことを通知する（１−Ｂ）。判定▲１▼の条件を満足しない場合は、呼切断する。
【００６６】
移動通信端末２は、移動通信端末１がロック設定を受け付けた旨の通知を受信すると、ロック設定が受け付けられた旨を表示部３９（例えば、ＬＣＤ）に表示する。また、表示部３９は、データ転送を希望する登録データの種別（例えば、電話帳、スケジュール、あるいは受信メール等）、データが保存されているメモリ種別（例えば、移動通信端末本体１０が有するデータ記録部１７、あるいは情報記録媒体２０が有するデータ記録部２１等）の設定を促す表示を行う。ユーザがデータ転送を希望する場合は、上記の登録データの種別およびメモリ種別を指定し、移動通信端末１へ通知する（１−ｃ）。
【００６７】
移動通信端末１は、移動通信端末２から、登録データの種別およびメモリ種別の指定を含むデータ転送要求を受信すると、受信したデータ転送要求に基づいて、指定されたメモリ（データ記録部１７、２１等）から、指定登録データ（電話帳、スケジュール、あるいは受信メール等）を読み出して移動通信端末２へデータ転送を行う（１−Ｃ）。
【００６８】
移動通信端末２は、移動通信端末１から転送された登録データをメモリ（データ記録部３７）に格納する（１−ｄ）。
【００６９】
移動通信端末１から登録データ転送が終了し、さらに、移動通信端末１へ登録データの転送要求を行う場合は、再度、１−ｃの処理が繰り返される。また、１−ｃにおいて、ユーザがロック設定のみを希望し、登録データ転送を希望しない場合、移動通信端末２は、データ転送要求を移動通信端末１に送信せずに通信切断操作を行う（１−ｅ）。
【００７０】
移動通信端末１は、通信切断完了後、移動通信端末本体１０における操作ロックおよび情報記録媒体２０における使用ロックを行う（１−Ｄ）。
【００７１】
以上のように、移動通信端末本体１０が操作ロックされるので、移動通信端末１から発着信操作が不可能となる。従って、第三者による移動通信端末１の不正使用が抑制され、通話料金が課金されることもなくなる。また、移動通信端末１（データ記録部１７）内のデータを参照、利用できなくなるため、個人データの漏洩も防止可能となる。
【００７２】
さらに、情報記録媒体２０もロックされるため、情報記録媒体２０を他の移動通信端末へ装着しても、同様に、第三者による悪用を防止できる。また、移動通信端末３０は、移動通信端末１にデータ転送要求を行うことにより、移動通信端末２には、移動通信端末１で使用されていたデータが保存されるので、ユーザは、新規に移動通信端末２に登録し直す必要はなくなる。
【００７３】
また、移動通信端末２のようなデータを記録する手段を有する通信端末を取得するまでの期間に、移動通信端末１が悪用される可能性もあるので、データを記録する手段を有する通信端末の取得前に知人等から通信端末を借用し、第三者による悪用を防止するためにロック（１−ｃで切断操作する）し、後日、データを記録する手段を有する通信端末を取得してからデータ転送を行うことも可能である。
【００７４】
図４は、本発明の一実施形態における移動通信端末１および移動通信端末２による処理を示すシーケンスである。以下、図１および図２を用い、図４に沿って、ユーザが事前に移動通信端末１に装着されている情報記録媒体２０にロックコードを登録していなかった場合に、移動通信端末１を紛失した時、移動通信端末２からのリモート操作で移動通信端末１をロックするまでの処理について説明する。
【００７５】
移動通信端末本体１０に装着されている情報記録媒体２０のロックコードは、ユーザにより設定されていない。従って、ロックコードは初期値のままであり、ロックコード登録フラグはＯＦＦである（２−Ａ）。
【００７６】
ユーザは、移動通信端末１を紛失した場合、移動通信端末２を用いて、ロック設定発信を行う（発信メッセージ内にロック設定有無情報を定義し、ロック設定有りを発信メッセージに設定する）（２−ａ）。
【００７７】
移動通信端末１は、着信に対し、発信メッセージ内のロック設定有無情報を参照する。移動通信端末１は、ロック設定有りを検出すると、自動応答し、移動通信端末２との接続が行われる。
【００７８】
接続完了後、移動通信端末２は、ロックコードの初期値の入力を行い、移動通信端末１へ通知する（２−ｂ）。
【００７９】
移動通信端末１は、ロックコードを受信すると、ロックコード記録部２２に記録されているロックコード記録部２２に記録されているロックコード登録フラグおよびロックコードを読み出し、「判定▲１▼：受信ロックコードと一致するか？」および「判定▲２▼：ロックコード登録フラグがＯＮか？」の判定を行う。判定▲１▼の条件を満足するが、判定▲２▼の条件を満足しない場合、移動通信端末１は、移動通信端末２へロック設定エラーを通知する（２−Ｂ）。判定▲１▼の条件を満足しない場合、移動通信端末１は、移動通信端末２と呼切断する。
【００８０】
移動通信端末２がロック設定エラー通知を受信すると、表示部３９（例えば、ＬＣＤ）は、移動通信端末１がロック設定を受け付けなかった旨を表示するとともに、情報記録媒体２０のＩＤ番号の入力をユーザに促す表示を行う。ユーザは、ＩＤ番号の入力を行い、移動通信端末１へ通知する（２−ｃ）。
【００８１】
移動通信端末１は、移動通信端末１からＩＤ番号を受信すると、情報記録媒体２０（データ記録部２１）からＩＤ番号を読み出す。移動通信端末１は、受信したＩＤ番号と情報記録媒体２０に記録されているＩＤ番号とを比較し、一致した場合、移動通信端末２へロック設定を受け付けたことを通知する（２−Ｃ）。
【００８２】
移動通信端末２は、移動通信端末１がロック設定を受け付けた旨の通知を受信すると、ロック設定が受け付けられた旨を表示部３９（例えば、ＬＣＤ）に表示する。また、表示部３９は、データ転送を希望する登録データの種別（例えば、電話帳、スケジュール、あるいは受信メール等）、データが保存されているメモリ種別（例えば、移動通信端末本体１０が有するデータ記録部１７、あるいは情報記録媒体２０が有するデータ記録部２１等）の設定を促す表示を行う。ユーザがデータ転送を希望する場合は、上記の登録データの種別およびメモリ種別を指定し、移動通信端末１へ通知する（２−ｄ）。
【００８３】
移動通信端末１は、移動通信端末２から、登録データの種別およびメモリ種別の指定を含むデータ転送要求を受信すると、受信したデータ転送要求に基づいて、指定されたメモリ（データ記録部１７、２１等）から、指定登録データ（電話帳、スケジュール、あるいは受信メール等）を読み出して移動通信端末２へデータ転送を行う（２−Ｄ）。
【００８４】
移動通信端末２は、移動通信端末１から転送された登録データをメモリ（データ記録部３７）に格納する（２−ｅ）。
【００８５】
移動通信端末１から登録データ転送が終了し、さらに、移動通信端末１へ登録データの転送要求を行う場合は、再度、２−ｄの処理が繰り返される。また、２−ｄにおいて、ユーザがロック設定のみを希望し、登録データ転送を希望しない場合、移動通信端末２は、データ転送要求を移動通信端末１に送信せずに通信切断操作を行う（２−ｆ）。
【００８６】
移動通信端末１は、通信切断完了後、移動通信端末本体１０における操作ロックおよび情報記録媒体２０における使用ロックを行う（２−Ｅ）。
【００８７】
ロックコードが初期状態のままである場合、コードが容易かつ単純であるため、ユーザ以外の第三者から容易にリモートから移動通信端末１がロックされてしまう可能性が高い。上記のように、ロックコードが初期値である場合、移動通信端末１は、情報記録媒体２０のＩＤ番号入力を移動通信端末２に対して更に要求し、一致しなければロックさせないことで、ユーザ以外の第三者による移動通信端末１へのロック操作を防止する。
【００８８】
なお、認証手段として情報記録媒体のＩＤ番号を始めから使用せずユーザ設定のロックコードを利用する理由は、ユーザ設定値（設定済みのロックコード）を利用することにより、ユーザ自身がロック操作を行う場合に、馴染みのある値で上記操作を可能とするユーザの利便性を考慮したためである。
【００８９】
また、ロックコード未設定である場合（ロックコードが初期値である場合）、情報記録媒体２０のＩＤ番号を使用する理由は、以下に示す理由による。情報記録媒体内のＩＤ番号は、初めから各情報記録媒体固有の番号が登録されているため、ユーザの設定忘れ等は発生せず、また所有者自身しか知らない値のため高セキュリティを保証できるからである。
【００９０】
図５は、本発明の一実施形態における移動通信端末１のロックコード設定フラグのＯＮ／ＯＦＦ設定処理の流れを示すフローチャートである。以下、図１を用い、図５に沿って、本実施形態における移動通信端末１のロックコード設定フラグのＯＮ／ＯＦＦ設定処理について説明する。
【００９１】
ロックコード記録部２２に記録されているロックコードは初期値であり、ロックコード設定フラグは「ＯＦＦ」であるとする。制御部１１は、操作部１８によりロックコード設定が行われたか否かを判断する（ステップＳ５０１）。
【００９２】
ロックコード設定が行われていないと判断された場合（ステップＳ５０１／Ｎｏ）、制御部１１は、ロックコード設定フラグを「ＯＦＦ」のままとし、動作を終了する。
【００９３】
ロックコード設定が操作部１８により行われていると判断された場合（ステップＳ５０１／Ｙｅｓ）、制御部１１は、ロックコード記録部２２に記録されているロックコードを書き換え、ロックコード記録部２２に新たなロックコードを記録する（ステップＳ５０２）。
【００９４】
制御部１１は、新ロックコード記録後、ロックコード記録部２２におけるロックコード設定フラグを「ＯＦＦ」から「ＯＮ」に設定し（ステップＳ５０３）、動作を終了する。
【００９５】
図６および図７は、本発明の一実施形態における移動通信端末１の動作の流れを示すフローチャートである。以下、図１および図２を用い、図６に沿って、本実施形態における移動通信端末本体１０の操作ロック動作および情報記録媒体２０の使用ロック動作について説明する。
【００９６】
制御部１１は、アンテナ１４、送受信部１２、およびデータ変換部１３を介して、移動通信端末２からのロック設定着信を示す信号を検出したか否かを判断する（ステップＳ６０１）。
【００９７】
ロック設定が着信されていないと判断された場合（ステップＳ６０１／Ｎｏ）、移動通信端末１は、通常の着信処理を行い（ステップＳ６１１）、動作を終了する。
【００９８】
ロック設定が着信されたと判断された場合（ステップＳ６０１／Ｙｅｓ）、移動通信端末１は、自動応答を行い（ステップＳ６０２）、移動通信端末２から送信されたロックコードを受信する（ステップＳ６０３）。
【００９９】
制御部１１は、ロックコード記録部２２に記録されているロックコード設定フラグを読み取り、受信したロックコードと、ロックコード記録部２２に記録されているロックコードと、を比較し、両者が一致したか否かを判断する（ステップＳ６０４）。
【０１００】
受信したロックコードとロックコード記録部２２に記録されているロックコードとが一致しないと判断された場合（ステップＳ６０４／Ｎｏ）、移動通信端末１は、移動通信端末２との通信を切断し（ステップＳ６１２）、動作を終了する。
【０１０１】
受信したロックコードとロックコード記録部２２に記録されているロックコードとが一致すると判断された場合（ステップＳ６０４／Ｙｅｓ）、制御部１１は、ロックコード記録部２２に記録されているロックコード設定フラグが「ＯＮ」であるか否かを判断する（ステップＳ６０５）。ロックコード設定フラグが「ＯＮ」ではない、すなわち、「ＯＦＦ」であると判断された場合（ステップＳ６０５／Ｎｏ）、図７におけるステップＳ７０１に遷移する。
【０１０２】
ロックコード設定フラグが「ＯＮ」であると判断された場合（ステップＳ６０５／Ｙｅｓ）、移動通信端末１は、移動通信端末１０本体および情報記録媒体２０における操作を無効化する（ロックする）ことを受け付けた旨を、移動通信端末２に応答する（ステップＳ６０６）。
【０１０３】
次に、制御部１１は、移動通信端末２からのデータ転送要求を受信したか否かを判断する（ステップＳ６０７）。データ転送要求を受信していないと判断された場合（ステップＳ６０７／Ｎｏ）、ステップＳ６０９に遷移する。
【０１０４】
データ転送要求を受信したと判断された場合（ステップＳ６０７／Ｙｅｓ）、制御部１１は、転送要求された登録データを、データ記録部１７あるいはデータ記録部２１等から読み取り、移動通信端末２に転送するように、送受信部１２およびデータ変換部１３等の各部位を制御する（ステップＳ６０８）。
【０１０５】
データ転送要求を受信していないと判断された場合（ステップＳ６０７／Ｎｏ）、あるいは登録データ転送（ステップＳ６０８）後、制御部１１は、移動通信端末２との通信が切断されたか否かを判断する（ステップＳ６０９）。移動通信端末２との通信が切断されていないと判断された場合（ステップＳ６０９／Ｎｏ）、ステップＳ６０７に遷移し、制御部１１は、再度、移動通信端末２からのデータ転送要求を受信したか否かを判断する。
【０１０６】
移動通信端末２との通信が切断されたと判断された場合（ステップＳ６０９／Ｙｅｓ）、制御部１１は、移動通信端末本体１０における操作をロックするとともに、装着されている情報記録媒体２０へのアクセスをロックし（ステップＳ６１０）、移動通信端末１は、動作を終了する。
【０１０７】
ロックコード記録部２２に記録されているロックコード設定フラグが「ＯＦＦ」であると判断された場合、すなわちロックコード記録部に記録されているロックコードが初期値のままであると判断された場合（ステップＳ６０５／Ｎｏ）、移動通信端末１は、移動通信端末本体１０および情報記録媒体２０における操作のロックを受け付けなかった旨（ロック設定エラー）を、移動通信端末２に応答する（ステップＳ７０１）。
【０１０８】
次に、制御部１１は、移動通信端末２から送信されたＩＤ番号を受信したか否かを判断する（ステップＳ７０２）。ＩＤ番号が受信されていないと判断された場合（ステップＳ７０２／Ｎｏ）、制御部１１は、移動通信端末２からの呼接続終了を示す信号を移動通信端末１が受信したか否かを判断する（ステップＳ７０９）。
【０１０９】
移動通信端末２からの呼接続終了を示す信号が受信されていないと判断された場合（ステップＳ７０９／Ｎｏ）、ステップＳ７０２に遷移する。移動通信端末２からの呼接続終了を示す信号が受信されたと判断された場合（ステップＳ７０９／Ｙｅｓ）、移動通信端末１は、通信を切断し（ステップＳ７１０）、動作を終了する。
【０１１０】
移動通信端末２から送信されたＩＤ番号が受信されたと判断された場合（ステップＳ７０２／Ｙｅｓ）、制御部１１は、ＩＤ番号記録部２３に記録されている情報記録媒体２０固有のＩＤ番号と、受信したＩＤ番号と、を比較し、両者が一致したか否かを判断する（ステップＳ７０３）。ＩＤ番号記録部２３に記録されているＩＤ番号と受信したＩＤ番号とが一致しないと判断された場合（ステップＳ７０３／Ｎｏ）、移動通信端末１は、移動通信端末２との通信を切断し（ステップＳ７１０）、動作を終了する。
【０１１１】
ＩＤ番号記録部２３に記録されているＩＤ番号と受信したＩＤ番号とが一致したと判断された場合（ステップＳ７０３／Ｙｅｓ）、移動通信端末１は、移動通信端末本体１０における操作および情報記録媒体２０へのアクセスの無効化（ロック設定）を受け付ける旨を、移動通信端末２に応答する（ステップＳ７０４）。
【０１１２】
次に、制御部１１は、移動通信端末２からのデータ転送要求を受信したか否かを判断する（ステップＳ７０５）。データ転送要求を受信していないと判断された場合（ステップＳ７０５／Ｎｏ）、ステップＳ７０７に遷移する。
【０１１３】
データ転送要求を受信したと判断された場合（ステップＳ７０５／Ｙｅｓ）、制御部１１は、転送要求された登録データを、データ記録部１７あるいはデータ記録部２１等から読み取り、移動通信端末２に転送するように、送受信部１２およびデータ変換部１３等の各部位を制御する（ステップＳ７０６）。
【０１１４】
データ転送要求を受信していないと判断された場合（ステップＳ７０５／Ｎｏ）、あるいは登録データ転送（ステップＳ７０６）後、制御部１１は、移動通信端末２との通信が切断されたか否かを判断する（ステップＳ７０７）。移動通信端末２との通信が切断されていないと判断された場合（ステップＳ７０７／Ｎｏ）、ステップＳ７０５に遷移し、制御部１１は、再度、移動通信端末２からのデータ転送要求を受信したか否かを判断する。
【０１１５】
移動通信端末２との通信が切断されたと判断された場合（ステップＳ７０７／Ｙｅｓ）、制御部１１は、移動通信端末本体１０における操作をロックするとともに、装着されている情報記録媒体２０へのアクセスをロックし（ステップＳ７０８）、移動通信端末１は、動作を終了する。
【０１１６】
なお、本実施形態によれば、移動通信端末本体１０における操作がロックされることにより、移動通信端末１は、操作部１８による操作を受け付けなくなり、他の端末との通信も不可能となる。また、データ記録部１７に記録されているあらゆるデータの表示および出力も不可能となる。
【０１１７】
また、情報記録媒体２０へのアクセスがロックされることにより、データ記録部２１に記録されているあらゆるデータの表示および出力が不可能となる。さらに、情報記録媒体２０を他の端末に装着したとしても、情報記録媒体２０自体へのアクセスがロックされるので、データ記録部２２に記録されているデータの表示および出力が不可能となる。
【０１１８】
また、移動通信端末２から送信されるロックコード、ＩＤ番号、およびデータ転送要求の受信と、受信したロックコードおよびＩＤ番号と情報記録媒体２０に記録されているロックコードおよびＩＤ番号との比較と、上記の比較に基づいてロックが有効であるか否かに係る移動通信端末２への通知と、移動通信端末２により転送要求されたデータの転送と、は、移動通信端末１がロックされた後においても動作可能であるとする。
【０１１９】
移動通信端末本体１０は、データを記録する処理と、キー入力に基づいて、通信およびデータ表示を行う処理と、ロックコードを情報記録媒体２０に登録する処理と、情報記録媒体２０に記録されているロックコードが初期値のままか、あるいは登録済みの値かを検出する処理と、移動通信端末２から送信されるロックコード、ＩＤ番号、およびデータ転送要求を受信する処理と、受信したロックコードおよびＩＤ番号と情報記録媒体２０に記録されているロックコードおよびＩＤ番号との比較を行う処理と、上記の比較に基づいてロックが有効であるか否かを移動通信端末２に通知する処理と、移動通信端末２により転送要求されたデータを転送する処理と、を行う。
【０１２０】
また、情報記録媒体２０は、データ、ロックコード、およびＩＤ番号を記録する処理を行う。
【０１２１】
また、移動通信端末２は、データを記録する処理と、キー入力に基づいて、通信およびデータ表示を行う処理と、データ、ロックコード、およびＩＤ番号を入力し、移動通信端末１に送信する処理と、移動通信端末１にデータの転送要求を送信する処理と、転送要求するデータの種別および記録領域を指定する処理と、移動通信端末１から転送されたデータを受信する処理と、を行う。
【０１２２】
上記の移動通信端末本体１０、情報記録媒体２０、および移動通信端末２による処理は、それぞれ移動通信端末本体１０、情報記録媒体２０、および移動通信端末２が有するコンピュータプログラムにより実行されるが、上記のプログラムは、光ディスクあるいは磁気ディスク等の情報記録媒体に記録され、上記の情報記録媒体からロードされるようにしてもよいし、所定のネットワークを介して接続されている外部機器からロードされるようにしてもよい。
【０１２３】
なお、上記の実施形態は本発明の好適な実施の一例であり、本発明の実施形態は、これに限定されるものではなく、本発明の要旨を逸脱しない範囲において種々変形して実施することが可能となる。
【０１２４】
【発明の効果】
事前にロックコードが設定されている場合は、第三者によるリモートからのロックは困難であった。しかしながら、ロックコードが未設定（初期値）であった場合、ロックコードの初期値は容易、単純なコードであることが多いため、第三者からも比較的容易にコードを一致させることができた。
【０１２５】
本発明によれば、ロックコードが初期値である場合には、ロックコードの一致だけではなく、情報記録媒体特有のＩＤ番号の一致を確認し、移動通信端末をロックすることによって、第三者の悪戯によるロックを抑制することが可能となる。
【０１２６】
また、本発明によれば、リモート操作により紛失した移動通信端末および情報記録媒体内に登録・保存されているデータを他の移動通信端末に転送させることによって、紛失した携帯電話機に登録・保存してあったデータを復旧することが可能となる。つまり、移動通信端末を紛失した場合に、新しい移動通信端末に電話帳、スケジュール、あるいはメール等のデータを新規に登録し直す手間をかけずに紛失した移動通信端末と同じデータを容易に新しい移動通信端末に再現することが可能となる。
【図面の簡単な説明】
【図１】本発明の一実施形態における情報記録媒体装着時の移動通信端末１の構成を示す図である。
【図２】本発明の一実施形態における移動通信端末２の構成を示す図である。
【図３】本発明の一実施形態における移動通信端末１および移動通信端末２による処理を示すシーケンスである。
【図４】本発明の一実施形態における移動通信端末１および移動通信端末２による処理を示すシーケンスである。
【図５】本発明の一実施形態における移動通信端末１のロックコード設定フラグのＯＮ／ＯＦＦ設定処理の流れを示すフローチャートである。
【図６】本発明の一実施形態における移動通信端末１の動作の流れを示すフローチャートである。
【図７】本発明の一実施形態における移動通信端末１の動作の流れを示すフローチャートである。
【符号の説明】
１、２  移動通信端末
１０  移動通信端末本体
１１、３１  制御部
１２、３２  送受信部
１３、３３  データ変換部
１４、３４  アンテナ
１５、３５  スピーカ
１６、３６  マイクロフォン
１７、２１、３７  データ記録部
１８、３８  操作部
１９、３９  表示部
２０  情報記録媒体
２２  ロックコード記録部
２３  ＩＤ番号記録部
【図１】
0003631706.tif 000002
【図２】
0003631706.tif 000003
【図３】
0003631706.tif 000004
【図４】
0003631706.tif 000005
【図５】
0003631706.tif 000006
【図６】
0003631706.tif 000007
【図７】
0003631706.tif 000008